(57)【要約】【課題】特定入賞部品に入賞した１個の球が複数の可変入賞部品の開閉体を適正に開閉する。【解決手段】特定入賞部品１０から遊技基盤２の裏側に排出された球が、球通路１５を落下する過程において、電気を使用しない機械的な機構により構成された作動体１６を動かし、作動体１６が開閉体１３を開放し、可変入賞部品１１が遊技基盤２の前側から球を入賞可能な形態に開放され、作動体１６を動かした球が、可変入賞部品１１を迂回しつつ球通路１５を落下し、電気を使用しない機械的な機構により構成された作動体１７を動かし、作動体１７が開閉体１４を開放し、可変入賞部品１２が遊技基盤２の前側から球を入賞可能な形態に開放され、作動体１７を動かした球が可変入賞部品１２を迂回しつつ球通路１５を落下して遊技基盤２よりも下方に排出される。【選択図】図１
2007312961.tif 000002
【特許請求の範囲】
【請求項１】
特定入賞部品と複数の可変入賞部品とが遊技基盤の遊技領域に設けられ、遊技基盤の裏側には、特定入賞部品から排出された球を落下させる球通路と、球通路を落下する球によって複数の可変入賞部品の開閉体を開放するように電気を使用しない機械的な機構により構成された複数の作動体または複数のレバーとを備え、複数の作動体または複数のレバーの一端部が球通路に対し上下に分かれて配置されたことを特徴とするパチンコ遊技機の遊技盤。
【発明の詳細な説明】
【技術分野】
【０００１】
本発明は、特定入賞部品に入賞した１個の球が複数の可変入賞部品の開閉体を適正に開閉するパチンコ遊技機の遊技盤に関する。
【背景技術】
【０００２】
パチンコ遊技機の遊技盤には、次の構造が知られている。それは、特定入賞部品に入賞した球が遊技基盤の裏側で落下する過程で２本のレバーを動かし、２本のレバーが２つの可変入賞部品の開閉体を開放するようになっている。しかしながら、１個の球が球通路を下降しつつ２本のレバーを同時に動かす構造であるため、球が２本のレバーを動かす途中で２本のレバーの間に詰まることがあり、球が２本のレバーの間に詰まると、それ以降、適正な遊技が継続できないという欠点がある。
【特許文献１】特公昭５７−１５９１９号公報
【発明の開示】
【発明が解決しようとする課題】
【０００３】
発明が解決しようとする問題点は、球が２本のレバーの間に詰まるという点である。
【課題を解決するための手段】
【０００４】
本発明に係るパチンコ遊技機の遊技盤は、特定入賞部品と複数の可変入賞部品とが遊技基盤の遊技領域に設けられ、遊技基盤の裏側には、特定入賞部品から排出された球を落下させる球通路と、球通路を落下する球によって複数の可変入賞部品の開閉体を開放するように電気を使用しない機械的な機構により構成された複数の作動体または複数のレバーとを備え、複数の作動体または複数のレバーの一端部が球通路に対し上下に分かれて配置されたことを最も主要な特徴とする。
【発明の効果】
【０００５】
本発明に係るパチンコ遊技機の遊技盤は、複数の作動体または複数のレバーの一端部が球通路に対し上下に分かれて配置されているので、特定入賞部品に入賞した１個の球が電気を使用しない機械的な機構により構成された複数の作動体または複数のレバーを動かし、複数の作動体または複数のレバーが複数の可変入賞部品の開閉体を別々に開放するので、球が複数の作動体または複数のレバーの間に詰まることがなく、適正な遊技を継続することができるという利点がある。
【発明を実施するための最良の形態】
【０００６】
図１乃至図３は、発明を実施するための最良の形態である。図１のａ図は、遊技盤１の正面を示す。図１のｂ図は、遊技盤１の裏面を示す。図２は、可変入賞部品２１を示す。図３は、パチンコ遊技機の正面を示す。本明細書において、「前」、「表」、「後」、「裏」、「左」、「右」、「上」、「下」の方向は、図３の状態に遊技盤１および遊技機枠４１を置いて図３の紙面の前側から見た場合に特定される方向である。「前」および「表」は、同じ方向である。「後」および「裏」は、同じ方向である。
【０００７】
図１を参照し、パチンコ遊技機の遊技盤１について説明する。図１のａ図において、遊技盤１は、遊技基盤２および遊技領域３が設けられる。遊技領域３は、遊技基盤２の前面の内ガイドレール４および外ガイドレール５で囲まれた部分である。遊技領域３の左側には、球発射通路６が接続される。球発射通路６は、内ガイドレール４の左側部と外ガイドレール５の左側部との間の隙間によって形成される。遊技領域３には、アウト口７、球戻り防止弁８、球反発体９、特定入賞部品１０、複数の可変入賞部品１１；１２、図外の入賞部品、図外の遊技釘が設けられる。可変入賞部品１１；１２は、開閉体１３；１４を個別に備える。
【０００８】
図１のｂ図において、遊技基盤２の裏側には、球通路１５、作動体１６；１７、球検出器１８；１９；２０を備える。そして、特定入賞部品１０から遊技基盤２の裏側に排出された球が矢印Ｘ１で示すように球通路１５を落下する過程において球検出器１８を通過した後に作動体１６を動かし、作動体１６が図１のａ図における開閉体１３を開放し、可変入賞部品１１が遊技基盤２の前側から球を入賞可能な形態に開放される。
【０００９】
作動体１６を動かした球は、矢印Ｘ２で示すように可変入賞部品１１を迂回しつつ球通路１５を落下して作動体１７を動かし、作動体１７が図１のａ図における開閉体１４を開放し、可変入賞部品１２が遊技基盤２の前側から球を入賞可能な形態に開放される。作動体１７を動かした球は、矢印Ｘ３で示すように可変入賞部品１２を迂回しつつ球通路１５を落下して遊技基盤２よりも下方に排出される。
【００１０】
図１のａ図において、前記のように開閉体１３；１４が開放された状態において、前記と別の球が、遊技領域３を流下する過程において、可変入賞部品１１または可変入賞部品１２に入賞すると、当該入賞した可変入賞部品１１の開閉体１３または可変入賞部品１２の開閉体１４を閉鎖し、遊技基盤２の裏側に排出される。
【００１１】
図１のｂ図において、可変入賞部品１１に入賞して遊技基盤２の裏側に排出された球は、矢印Ｘ４で示すように可変入賞部品１１から真下に落下して球検出器１９を通過した後に球通路１５を落下して作動体１７を動かした後、矢印Ｘ３で示すように可変入賞部品１２を迂回しつつ球通路１５を落下して遊技基盤２よりも下方に排出される。可変入賞部品１２に入賞して遊技基盤２の裏側に排出された球は、矢印Ｘ５で示すように可変入賞部品１２から真下に落下して球検出器２０を通過した後に球通路１５を落下して遊技基盤２よりも下方に排出される。
【００１２】
球検出器１８乃至２０のそれぞれは、個別に、球を検出するごとに、球検出信号を図外の制御装置に出力する。そして、制御装置は、球検出器１８乃至２０のいずれかから球検出信号が入力されるごとに、図外の球払出機構を駆動し、球払出機構が賞球を払い出す。
【００１３】
つまり、図１において、複数の作動体１６；１７が球通路１５に対し上下に分かれて配置されているので、特定入賞部品１０に入賞した１個の球が電気を使用しない機械的な機構により構成された複数の作動体１６；１７を別々に動かし、複数の作動体１６；１７が複数の可変入賞部品１１；１２の開閉体１３；１４を別々に開放するので、球が複数の作動体１６；１７の間に詰まることがなく、適正な遊技を継続することができるという利点がある。また、１個の球が特定入賞部品１０に入賞すると、２個の可変入賞部品１１；１２の開閉体１３；１４が電気を使用しないで球の入賞可能な形態になり、特定入賞部品１０に入賞した球が遊技基盤２の裏側のどの位置を流下しているかを、遊技者が容易に把握できるという利点がある。
【００１４】
図２を参照し、可変入賞部品２１の構造について説明する。可変入賞部品２１は、図１の可変入賞部品１１；１２に個別に相当する。図２のｄ図において、可変入賞部品２１は、球通過孔部２２および球入口部２３を備える。球通過孔部２２は、上方の遊技領域３から球を取り入れて下方の遊技領域３に排出するように、上下方向への貫通孔として構成される。球入口部２３は、球通過孔部２２の中間部から球を取り入れて遊技基盤２の裏側に排出するように、前後方向への貫通孔として備える。球通過孔部２２には、開閉体２４および傘部２５が設けられる。開閉体２４は、図１の開閉体１３；１４に相当する。
【００１５】
図２のａ図に示すように、開閉体２４は、球入口部２３の左右両側で、開閉軸２６を中心として左右方向に回転可能に設けられる。開閉体２４には、錘２７が設けられる。錘２７は、開閉体２４の開閉軸２６よりも外側下部に位置し、開閉体２４の内部に埋め込まれる。傘部２５は、開閉体２４が閉じた場合において、球が開閉体２４の間から球入口部２３の側に取り込まれることがないように、球入口部２３への球の入賞を阻止するものである。
【００１６】
図２のｂ図に示すように、開閉体２４が開閉軸２６で球通過孔部２２に取り付けられ、開閉体２４に回転を阻止する力が作用しない状態では、左の開閉体２４の一端部が錘２７の重さで開閉軸２６を中心として左側に回転し、右の開閉体２４の一端部が錘２７の重さで開閉軸２６を中心として右側に回転して、左右の開閉体２４が開放されて斜め姿勢になり、球を球通過孔部２２から球入口部２３に取り入れることが可能になる。
【００１７】
図２のｄ図において、球入口部２３には、作動体２８および保持体２９が設けられる。作動体２８は、開閉体２４を開閉するための部材を構成するものであって、作動軸３０を中心として上下方向に回転可能に構成される。
【００１８】
図２のｃ図に示すように、作動体２８が作動軸３０で球入口部２３に取り付けられ、作動体２８に回転を阻止する力が作用しない状態では、作動体２８の前半部が後半部よりも重いというように、作動体２８の重量配分によって、作動体２８の前半部が作動軸３０を中心として下方に回転可能になる。作動体２８の前半部は、作動体２８における作動軸３０よりも前側の部分である。作動体２８の後半部は、作動体２８における作動軸３０よりも後側の部分である。
【００１９】
作動体２８には、上球排出部３１、下球排出部３２、永久磁石３３を備える。上球排出部３１は、遊技基盤２の裏側で上球排出部３１の上方から落下した球を受け止めて左右の一側方に排出するような斜面として、作動体２８の後上部に形成される。下球排出部３２は、開いた開閉体２４の間から開閉体２４を閉じて下方に落下した球を、球入口部２３から裏側に誘導するものであって、作動体２８の下部に形成される。保持体２９は、永久磁石３３を吸着する強磁性材により構成される。
【００２０】
図２のａ図に示すように、左右の開閉体２４が閉じられた場合、開閉体２４の開閉軸２６よりも下部と作動体２８の前部とが互いに左右方向で対向して接触し、開閉体２４が開放されないうえ、開閉体２４の上部が傘部２５と左右方向で対向し、球が開閉体２４の間から球通過孔部２２の側に取り込まれない。このように開閉体２４が閉じられた状態において、図２のｃ図に示すように、球が矢印Ｘ６で示すように作動体２８の後部に落下すると、作動体２８の前部が作動軸３０を中心として矢印Ｘ７で示す上方に回転し、永久磁石３３が図２のｄ図に示すように保持体２９に吸着される。
【００２１】
上記作動体２８の前部が上方に回転するのに伴い、図２のｂ図に示すように、開閉体２４の開閉軸２６よりも下部と作動体２８の前部との接触が解除され、開閉体２４が錘２７の重さによって開閉軸２６を中心として左右に開く。開閉体２４が開放されると、開閉体２４の下部間の間隔Ｈ１は、１個の球Ｐの直径Ｄ１よりも小さい（Ｈ１＜Ｄ１）。このように開閉体２４が開いた状態において、球が開閉体２４の間に入って開閉体２４の下部に到達すると、球が開閉体２４の下部を押し下げ、開閉体２４が図２のａ図に示すように開閉軸２６を中心として閉じる。
【００２２】
これに伴い、図２のａ図に示すように、開閉体２４の下部が互いに離れる。この離れた開閉体２４の下部間の間隔が、１個の球Ｐ（図２のｂ図参照）の直径よりも大きくなる。したがって、図２のｄ図に示すように、球Ｐが開閉体２４の下部の間を落下して下球排出部３２の前部に受け止められる。すると、下球排出部３２に受け止められた球の重さによって、保持体２９と永久磁石３３との吸着が解除され、作動体２８の前部が作動軸３０を中心として矢印Ｘ８で示す下方に回転する。その後、下球排出部３２に受け止められた球は、下球排出部３２から遊技基盤２の裏側の球通路１５に排出される。部品逃避孔３４は、球入口部２３を逃げるために、遊技基盤２に前後方向への貫通孔として設けられる。
【００２３】
図３を参照し、パチンコ遊技機について説明する。パチンコ遊技機は、遊技機枠４１の内部に遊技盤１を交換可能に格納した形態である。遊技機枠４１は、固定枠４２の前側に可動枠４３を開閉可能に備え、可動枠４３の前側に前扉４４および皿構造体４５を開閉可能に備える。固定枠４２は、遊技機設置構造体に取り付けるための外枠とも呼ばれる。遊技機設置構造体は、遊技店のパチンコ遊技機を設置する島とも呼ばれる設備である。可動枠４３は、遊技盤１、球発射機構４６、図外の球払出機構など遊技に必要な部品を取り付ける前枠とも呼ばれる。球払出機構は、可動枠４３の裏部に設けられる。前扉４４は、パネル枠とも呼ばれ、前後方向に貫通する窓４７を備える。窓４７は、前面パネル４８で塞がれる。前面パネル４８は、光透過性の有る無色なガラスのような板状の部材により構成され、前扉４４の裏面に設けられる。皿構造体４５の前面には、球受皿部４９および球発射操作機構５０が設けられる。
【００２４】
遊技盤１が可動枠４３の内部に格納された場合、遊技領域３は遊技機枠４１の前側から窓４７および前面パネル４８を経由して視認される。その状態において、遊技者が球受皿部４９にパチンコ球と呼ばれる球を入れ、遊技者が球発射操作機構５０を右回りに操作すると、球発射機構４６が球発射操作機構５０の操作量に応じた発射力で駆動し、球発射機構４６が球受皿部４９から遊技機枠４１の内部に取り込まれた球を１個ずつ球発射通路６に向けて発射する。
【００２５】
球発射通路６に発射された球は、球戻り防止弁８を押し開けて遊技領域３に到達する。遊技領域３に到達した球は、遊技領域３を流下する過程において、特定入賞部品１０、可変入賞部品１１；１２、図外の入賞部品、図外の遊技釘などに衝突して、流れる方向を変えながら、特定入賞部品１０や可変入賞部品１１；１２および図外の入賞部品のいずれかに入って遊技基盤２の裏側に排出される。特定入賞部品１０や可変入賞部品１１；１２および図外の入賞部品のいずれにも入らないで、遊技領域３の最下部に到達した球は、アウト口７から遊技基盤２の裏側に排出される。
【産業上の利用可能性】
【００２６】
図４および図５は、発明を実施するための異なる形態である。図４のａ図およびｂ図は可変入賞部品の内部構造を示す。図５は遊技盤１の裏面を示す。
【００２７】
図４を参照し、可変入賞部品６１の構造について説明する。可変入賞部品６１は、図１の可変入賞部品１１乃至１２に相当する。図４のａ図において、可変入賞部品６１は、球通過孔部６２および球入口部６３を備える。球通過孔部６２は、上方の遊技領域３から球を取り入れて下方の遊技領域３に排出するように、上下方向への貫通孔として構成される。球入口部６３は、球通過孔部６２の中間部から球を取り入れて遊技基盤２の裏側に排出するように、前後方向への貫通孔として備える。球入口部６３には、受止部６４が突起として設けられ、開閉体６５が開閉軸６６を中心として前後方向に回転可能に設けられる。
【００２８】
開閉体６５は図１の開閉体１３；１４に類似し、図１の開閉体１３；１４が左右に開閉するのに対し、開閉体６５が前後に開閉する点で図１の開閉体１３；１４と異なる。開閉体６５には、錘６７、被受止部６８、閉鎖支持部６９が設けられる。錘６７は、開閉体６５の開閉軸６６よりも一端部の側に位置し、開閉体６５の内部に埋め込まれる。被受止部６８は、開閉体６５の他端部から裏側に突出する突起として開閉体６５の他端部に設けられる。閉鎖支持部６９は、開閉体６５の開閉軸６６と被受止部６８との間における一側部から裏側に突出する突起として開閉体６５の開閉軸６６と被受止部６８との間における一側部に設けられる。
【００２９】
錘６７の重さと開閉体６５の開閉軸６６から一端部までの重さとを合計した重さは、開閉体６５の開閉軸６６から他端部までの重さと被受止部６８の重さと閉鎖支持部６９の重さとを合計した重さよりも重く、開閉体６５の開閉軸６６から他端部までの重さと被受止部６８の重さと閉鎖支持部６９の重さとを合計した重さと１個の球の重さとを合計した重さよりも軽い。このため、開閉体６５が開閉軸６６で球入口部６３に取り付けられ、開閉体６５に回転を阻止する力が作用しない状態では、開閉体６５の一端部が開閉軸６６を中心として前側に回転して球入口部６３から前側の球通過孔部６２に突出し、被受止部６８が受止部６４の下面に下側から受け止められ、開閉体６５の一端部がそれ以上前側に回転しないように静止される。これによって、開閉体６５が後側から前側に開放されて前傾姿勢になり、球を球通過孔部６２から球入口部６３に取り入れることが可能になる。
【００３０】
図４のａ図に示すように、開閉体６５が前側に開放した状態において、球Ｐが矢印Ｘ９で示すように遊技領域３から球通過孔部６２に取り込まれた場合、当該球Ｐは開閉体６５における球通過孔部６２に突出した一端部の裏面の上を前側から後側に転がる。この後側に転がった球Ｐが球入口部６３を経由して開閉軸６６を後側に越えて被受止部６８に受け止められる。
【００３１】
そして、図４のｂ図に示すように、開閉体６５の一端部が開閉軸６６を中心として下から上に回転し、開閉体６５の他端部が開閉軸６６を中心として上から下に回転して球入口部６３の下壁に受け止められ、開閉体６５の他端部がそれ以上前側に回転しないように静止される。これによって、開閉体６５が前側から後側に閉鎖されて立ち上がって球入口部６３を閉鎖した姿勢になり、球入口部６３に球を入れることが不可能になる。その後、被受止部６８に受け止められた球Ｐは、被受止部６８から矢印Ｘ１０で示す下方に落下して遊技基盤２の裏側に排出されて球通路１５に取り込まれる。
【００３２】
図５を参照し、開閉体６５を開閉する構造について説明する。図５のａ図において、遊技基盤２の裏面には、レバー７１；７２および閉鎖支持体７３；７４が設けられる。レバー７１は、球通路１５よりも左側に配置され、遊技基盤２の裏面に対しレバー軸７５を中心として上下方向に回転可能に構成される。レバー７２は、球通路１５よりも右側に配置され、遊技基盤２の裏面に対しレバー軸７６を中心として上下方向に回転可能に構成される。閉鎖支持体７３は、球通路１５よりも左側に配置され、遊技基盤２の裏面に対し支持軸７７を中心として上下方向に回転可能に構成され、アーム７８を備える。閉鎖支持体７４は、球通路１５よりも右側に配置され、遊技基盤２の裏面に対し支持軸７９を中心として上下方向に回転可能に構成され、アーム８０を備える。
【００３３】
閉鎖支持体７３が支持軸７７で遊技基盤２の裏面に取り付けられ、閉鎖支持体７３に回転を阻止する力が作用しない状態では、アーム７８の側が閉鎖支持体７３の側よりも重いという、閉鎖支持体７３の重量配分によって、アーム７８の側が支持軸７７を中心として下方に回転可能になる。閉鎖支持体７４が支持軸７９で遊技基盤２の裏面に取り付けられ、閉鎖支持体７４に回転を阻止する力が作用しない状態では、アーム８０の側が閉鎖支持体７４の側よりも重いという、閉鎖支持体７４の重量配分によって、アーム８０の側が支持軸７９を中心として下方に回転可能になる。
【００３４】
図５を参照し、開閉体６５を開閉する動作について説明する。先ず、図５のａ図に示すように、可変入賞部品１１；１２に対応する２つの可変入賞部品６１における開閉体６５が閉鎖した場合、レバー７１の一端部が図外のばねの弾性または錘の重さによってレバー軸７５を中心として上方に回転して上昇限度位置に停止し、レバー７２の一端部が図外のばねの弾性または錘の重さによってレバー軸７６を中心として上方に回転して上昇限度位置に停止している。
【００３５】
そして、アーム７８がレバー７１の他端部に上から接触してレバー７１の他端部で支持され、閉鎖支持体７３が可変入賞部品１１に対応する開閉体６５における閉鎖支持部６９に上から接触し、開閉体６５の錘６７の重さで前側に開放しようとする動作が阻止され、開閉体６５の閉鎖が確保される（図４のｂ図参照）。また、アーム８０がレバー７２の他端部に上から接触してレバー７２の他端部で支持され、閉鎖支持体７４が可変入賞部品１２に対応する開閉体６５における閉鎖支持部６９に上から接触し、開閉体６５の錘６７の重さで前側に開放しようとする動作が阻止され、開閉体６５の閉鎖が確保される（図４のｂ図参照）。
【００３６】
図５のｂ図に示すように、球通路１５を落下する球Ｐがレバー７１の一端部の上に搭載され、レバー７１の一端部が球Ｐの重さで下方に回転し、レバー７１の他端部が上昇する。レバー７１の他端部が上昇するのに伴ってアーム７８を矢印Ｘ１１で示す方向に持ち上げ、閉鎖支持体７３が可変入賞部品１１に対応する開閉体６５における閉鎖支持部６９から外れ、閉鎖支持体７３が可変入賞部品１１に対応する開閉体６５における閉鎖支持部６９から球通路１５の側に外れる。これによって、可変入賞部品１１に対応する開閉体６５が錘６７（図４のａ図参照）の重さで開閉軸６６を中心として前側に開放する（図４のａ図参照）。
【００３７】
図５のｃ図に示すように、球通路１５を落下する球Ｐがレバー７１の一端部からレバー７２の一端部の側に落下すると、レバー７１の一端部が図外のばねの弾性または錘の重さによってレバー軸７５を中心として上方に回転して上昇限度位置に停止する。レバー７１の一端部が上方に回転して上昇限度位置に停止する過程において、レバー７１の他端部がアーム７８から下方に外れ、アーム７８が支持軸７７を中心として下方に回転し、閉鎖支持体７３が支持軸７７を中心として矢印Ｘ１２で示す上方に回転して可変入賞部品１１に対応する閉鎖支持部６９の側面に衝突し、可変入賞部品１１に対応する開閉体６５の開放が維持される。
【００３８】
その後、図５のｄ図に示すように、球通路１５を落下する球Ｐがレバー７２の一端部の上に搭載され、レバー７２の一端部が球Ｐの重さで下方に回転し、レバー７２の他端部が上昇する。レバー７２の他端部が上昇するのに伴ってアーム８０を矢印Ｘ１３で示す方向に持ち上げ、閉鎖支持体７４が可変入賞部品１２に対応する開閉体６５における閉鎖支持部６９から外れ、閉鎖支持体７４が可変入賞部品１２に対応する開閉体６５における閉鎖支持部６９から球通路１５の側に外れる。これによって、可変入賞部品１２に対応する開閉体６５が錘６７（図４のａ図参照）の重さで開閉軸６６を中心として前側に開放する（図４のａ図参照）。
【００３９】
図５のｄ図において、球Ｐがレバー７２の一端部から落下すると、レバー７２の一端部が図外のばねの弾性または錘の重さによってレバー軸７６を中心として上方に回転して上昇限度位置に停止する。レバー７２の一端部が上方に回転して上昇限度位置に停止する過程において、レバー７２の他端部がアーム８０から下方に外れ、アーム８０が支持軸７９を中心として下方に回転し、閉鎖支持体７４が支持軸７９を中心として上方に回転して可変入賞部品１２に対応する閉鎖支持部６９の側面に衝突し、可変入賞部品１２に対応する開閉体６５の開放が維持される。
【００４０】
図５のｃ図およびｄ図を参照し、開閉体６５が前側に開放された後、球Ｐ１が遊技領域３（図４のａ図参照）から可変入賞部品１１に対応する可変入賞部品６１に入賞した場合の動作について説明する。図５のｃ図に示すように、球Ｐ１が遊技領域３（図４のａ図参照）から開閉体６５の上を前側から後側に移動し、開閉体６５の前側の一端部が球Ｐ１の重さで開閉軸６６を中心として上方に回転し、閉鎖支持体７３と閉鎖支持部６９の接触が外れる。
【００４１】
それに伴い、図５のｄ図に示すように、アーム７８が支持軸７７を中心として矢印Ｘ１４で示す下方に回転してレバー７１の他端部に上から接触してレバー７１の他端部で支持され、可変入賞部品１１に対応する開閉体６５の閉鎖が維持される。
【００４２】
図２では、開閉体２４が閉じられた場合、傘部２５が球を遊技領域３から可変入賞部品２１に入らないようにしたが、傘部２５を可変入賞部品２１に設けることなく、遊技釘を可変入賞部品２１よりも上部の遊技領域３に設け、開閉体２４が閉じられた場合、上記可変入賞部品２１よりも上部の遊技領域３に設けられた遊技釘が球を遊技領域３から可変入賞部品２１に入らないようにしてもよい。
【００４３】
図示は省略したが、特定入賞部品１０に入賞した１個の球で開放される可変入賞部品の個数は３個以上であってもよい。
【図面の簡単な説明】
【００４４】
【図１】ａ図は遊技盤の正面図、ｂ図は遊技盤の裏面図（最良の形態）。
【図２】ａ図およびｂ図は可変入賞部品の正面の模式図、ｃ図およびｄ図は可変入賞部品の縦断面図（最良の形態）。
【図３】パチンコ遊技機の正面図（最良の形態）。
【図４】ａ図およびｂ図は可変入賞部品の縦断面図（異なる形態）。
【図５】ａ図乃至ｄ図は可変入賞部品の開閉体を開閉する機構を示す模式図（異なる形態）。
【符号の説明】
【００４５】
１    遊技盤
２    遊技基盤
３    遊技領域
１０  特定入賞部品
１１  可変入賞部品
１２  可変入賞部品
１５  球通路
１６  作動体
１７  作動体
７１  レバー
７２  レバー
【図１】
2007312961.tif 000003
【図２】
2007312961.tif 000004
【図３】
2007312961.tif 000005
【図４】
2007312961.tif 000006
【図５】
2007312961.tif 000007